(57)【要約】      （修正有）【課題】動画選択の際に動画内容の把握をしてから動画編集等の機能を実行するまでの手番が少なくて済む画像再生装置を提供する。【解決手段】動画像を再生可能な画像再生手段と、再生された動画像を停止することが可能な動画停止手段と、動画像を選択する画像選択手段と、選択された動画像に対し任意の編集をすることが可能な編集手段を備える。選択された動画像に対し、編集手段によって任意の編集機能を実行する際に該動画を再生させる場合は第一の動画再生モードで制御され、編集手段によって任意の編集機能を実行せずに該動画を再生させる場合は第二の動画再生モードで制御され、第一の動画再生モードにおいて、停止操作を行うと動画再生を終了し、第二の動画再生モードにおいて、停止操作を行うと動画再生メニューを表示する。【選択図】図４
2016092800.tif 000002
【特許請求の範囲】
【請求項１】
動画像を再生可能な画像再生手段と、前記画像再生手段によって再生された動画像を停止することが可能な動画停止手段と、前記動画像を選択する画像選択手段と、前記画像選択手段によって選択された動画像に対し任意の編集をすることが可能な編集手段を備え、前記画像選択手段によって選択された動画像に対し、前記編集手段によって任意の編集機能を実行する際に前記画像再生手段によって該動画を再生させる場合は第一の動画再生モードで制御され、前記編集手段によって任意の編集機能を実行せずに前記画像再生手段によって該動画を再生させる場合は第二の動画再生モードで制御され、前記第一の動画再生モードにおいて、前記動画再生停止手段によって停止操作を行うと動画再生を終了し、前記第二の動画再生モードにおいて、前記動画再生停止手段によって停止操作を行うと動画再生メニューを表示することを特徴とする画像再生装置。
【請求項２】
前記第一の動画再生モードにおいて動画を再生する際は、第二の動画再生モードにおいて動画を再生させる速度よりも早いことを特徴とする請求項１に記載の画像再生装置。
【請求項３】
前記編集機能とは、画像の消去や画像のワイヤレス送信、または個々の画像を選択して新規動画作成可能な機能をさすことを特徴とする請求項１に記載の画像再生装置。
【請求項４】
前記画像選択手段によって選択された動画の動画時間を取得する動画時間取得手段があり、前記動画時間取得手段によって取得された動画時間が所定時間以上であれば、前記編集機能を実行する場合であれば、第二の動画再生モードで制御されることを特徴とする請求項１に記載の画像再生装置。
【請求項５】
前記動画再生メニューとは、スロー再生やフレーム毎の送り戻し、早送り機能を備えることを特徴とする請求項１に記載の画像再生装置。
【発明の詳細な説明】
【技術分野】
【０００１】
本発明は、画像再生装置の動画再生方法に関する。
【背景技術】
【０００２】
デジタルカメラなどのモバイル機器では、記録した動画をその機器内で再生できるのは一般的である。動画を再生するときは、ただ閲覧するだけのときと、動画を消去する、動画をワイヤレス通信で送るといったように何か目的があって閲覧するとき、などのユースケースが考えられる。前者の場合は、通常の動画再生以外にスロー再生や早送り、動画のフレーム印刷など、動画閲覧後に何んらかの操作をする可能性があるため、一時停止した際にはメニューを表示して、それらの要望を満たせるようにすることが望ましい。
【０００３】
しかし、後者の場合は、ユーザがやりたいことが既に決まった上で動画を再生させるため、動画の内容がある程度把握できればよい、つまり簡易的な再生方法があればよいと考えられる。後者のようなユースケースで簡易的に動画を再生させるための従来技術は以下の通りである。特許文献１の方法では、動画をチャプター単位にしたものをインデックス表示にして確認することができる。特許文献２の方法では、一つの動画をチャプター単位に分けて、そのチャプターを消去する際に動画を繰り返し再生することができる。
【先行技術文献】
【特許文献】
【０００４】
【特許文献１】特開２００７−２０９００９号公報
【特許文献２】特開２０１４−２７４９１号公報
【発明の概要】
【発明が解決しようとする課題】
【０００５】
しかしながら、特許文献１の方法では、インデックス表示の状態で動画が再生されないため、インデックス表示に表示されていないシーンは確認することはできない。また表示デバイスの全画面に対し小さいサムネイルで表示するため、特に小型の機器では視認性が低いという課題がある。特許文献２の方法では、消去という機能に限定されていることや、動画のある一部分のチャプターだけを再生させているために動画の全体像を把握することはできないという課題がある。
【０００６】
そこで、本発明の目的は、動画選択の際に動画内容の把握をしてから動画編集等の機能を実行するまでの手番が少なくて済む画像再生装置を提供することにある。
【課題を解決するための手段】
【０００７】
上記の目的を達成する為に、本発明の画像再生装置は、動画像を再生可能な画像再生手段と、前記画像再生手段によって再生された動画像を停止することが可能な動画停止手段と、前記動画像を選択する画像選択手段と、前記画像選択手段によって選択された動画像に対し任意の編集をすることが可能な編集手段を備え、前記画像選択手段によって選択された動画像に対し、前記編集手段によって任意の編集機能を実行する際に前記画像再生手段によって該動画を再生させる場合は第一の動画再生モードで制御され、前記編集手段によって任意の編集機能を実行せずに前記画像再生手段によって該動画を再生させる場合は第二の動画再生モードで制御され、前記第一の動画再生モードにおいて、前記動画再生停止手段によって停止操作を行うと動画再生を終了し、前記第二の動画再生モードにおいて、前記動画再生停止手段によって停止操作を行うと動画再生メニューを表示することを特徴としている。
【発明の効果】
【０００８】
本発明によれば、動画選択の際に動画内容の把握をしてから動画編集等の機能を実行するまでの手番が少なくて済む画像再生装置の提供を実現できる。
【図面の簡単な説明】
【０００９】
【図１】撮像装置１００の外観の一例を示す図である。
【図２】撮像装置１００のハードウェア構成の一例を示す図である。
【図３】本発明の一実施例としてのデジタルカメラの起動から終了までの基本フローを示した図である。
【図４】本発明の一実施例としてのデジタルカメラの再生モードでのフローを示した図である。
【図５（ａ）】本発明の一実施例としての動画再生に関わる画面遷移を示した図である。
【図５（ｂ）】本発明の一実施例としての動画再生に関わる画面遷移を示した図である。
【図６（ａ）】本発明の一実施例としての動画再生第一パターン処理でのフローを示した図である。
【図６（ｂ）】本発明の一実施例としての動画再生第二パターン処理でのフローを示した図である。
【図７】本発明の一実施例としての動画再生第一パターン処理でのフローを示した図である。
【図８】本発明の一実施例としてのデジタルカメラの再生モードでのフローを示した図である。
【発明を実施するための形態】
【００１０】
以下、図面を参照して本発明の好適な実施形態を説明する。
【００１１】
図１に本発明の撮像装置の一例としてのデジタルカメラ１００の外観図を示す。表示部２８は画像や各種情報を表示する表示部である。表示部２８はタッチパネルで構成されており、表示部２８に対する接触を検知可能である。シャッターボタン６１は撮影指示を行うための操作部である。モードダイアル６０は各種モードを切り替えるための操作部である。コネクタ１１２は接続ケーブルとデジタルカメラ１００とのコネクタである。
【００１２】
操作部７０はユーザーからの各種操作を受け付ける各種スイッチ、ボタン、タッチパネル等の操作部材より成る操作部である。コントローラーホイール７３は操作部７０に含まれる回転操作可能な操作部材である。７２は電源スイッチであり、電源オン、電源オフを切り替える。記録媒体は２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。
【００１３】
図２は本実施形態によるデジタルカメラ１００の構成例を示すブロック図である。図２において、１０３はフォーカスレンズを含む撮影レンズ、１０１は絞り機能を備えるシャッター、２２は光学像を電気信号に変換するＣＣＤやＣＭＯＳ素子等で構成される撮像部である。２３はＡ／Ｄ変換器であり、アナログ信号をデジタル信号に変換する。Ａ／Ｄ変換器２３は、撮像部２２から出力されるアナログ信号をデジタル信号に変換するために用いられる。１０２はバリアであり、デジタルカメラ１００の、撮影レンズ１０３を含む撮像部を覆うことにより、撮影レンズ１０３、シャッター１０１、撮像部２２を含む撮像系の汚れや破損を防止する。
【００１４】
２４は画像処理部であり、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。画像表示部２８を用いて撮像した画像データを逐次表示すれば、電子ファインダー機能（スルー画像表示）を実現することが可能である。
【００１６】
また、メモリ３２は画像表示用のメモリ（ビデオメモリ）を兼ねている。１３はＤ／Ａ変換器であり、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。
【００１７】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１８】
５０はシステム制御部であり、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１９】
モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画および動画を記録可能な撮影モード、再生モード等のいずれかに切り替える。第１シャッタースイッチ６２は、デジタルカメラ１００に設けられたシャッターボタン６１の操作途中、いわゆる半押し（撮影準備動作指示）でＯＮとなり第１シャッタースイッチ信号ＳＷ１を発生する。
【００２０】
第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作（以下、これらのうち少なくとも一つを撮影準備動作と称する）を開始する。これらの処理はシステム制御部５０の制御によって行われる。
【００２１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２２】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、４方向ボタンやＳＥＴボタンとを用いて直感的に各種設定を行うことができる。
【００２３】
４方向ボタンは上ボタン１４１、下ボタン１４２、左ボタン１４３、右ボタン１４４とＳＥＴボタン１４５を定義する。コントローラホイール７３は、操作部７０に含まれる回転操作可能な操作部材であり、方向ボタンと共に選択項目を指示する際などに使用される。８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２４】
３０は電源部であり、アルカリ電池やリチウム電池等の一次電池やＮｉＣｄ電池やＮｉＭＨ電池、Ｌｉ電池等の二次電池、ＡＣアダプター等からなる。１８はメモリカードやハードディスク等の記録媒体２００とのインターフェースである。記録媒体２００は、メモリカード等の記録媒体であり、半導体メモリや磁気ディスク等から構成される。
【００２５】
なお、操作部７０の一つとして、表示部２８に対する接触操作を検知可能なタッチパネル（タッチ操作部材）を有する。タッチパネルと表示部２８とは一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩを構成することができる。システム制御部５０はタッチパネルへの以下の操作を検出できる。
【００２６】
タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は内部バス１１１を通じてシステム制御部５０に通知され、システム制御部５０は通知された情報に基づいてタッチパネル上にどのような操作が行なわれたかを判定する。
【００２７】
ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作を「フリック」と呼ぶ。フリックは、タッチパネル上に指を触れたままある程度の距離だけ素早く動かして、そのまま離すといった操作であり、言い換えればタッチパネル上を指ではじくように素早くなぞる操作である。
【００２８】
所定距離以上を、所定速度以上でムーブしたことが検出され、そのままタッチアップが検出されるとフリックが行なわれたと判定できる。また、所定距離以上を、所定速度未満でムーブしたことが検出された場合は「ドラッグ」が行なわれたと判定するものとする。また画面上の任意の１点を軽く叩く(プレス＆リリース)操作を「シングルタッチ」と呼び、画面上の任意の１点を２回連続で軽く叩く(プレス＆リリースを２セット繰り返す)操作を「ダブルタッチ」と呼ぶ。以上述べた「フリック」、「ドラッグ」、「シングルタッチ」、「ダブルタッチ」の操作はタッチパネルに触れている指またはペンが１点である場合の操作である。
【００２９】
タッチパネルに複数の点がタッチダウンされている状態で行われる操作については以下に述べる。「ピンチ」とは２本の指またはペンでつまむ操作のことである。「ピンチイン」とは、２本の指またはペンをタッチパネル上に載せてその間隔を縮める動作のことである。「ピンチアウト」とはピンチインとは逆に、２本の指またはペンをタッチパネル上に載せて各々の間を広げる動作のことである。近年ではこのピンチアウトを用いて表示されている画像の拡大制御をおこない、ピンチインを用いて表示されている画像の縮小制御を行うことが一般的である。またピンチ状態、つまり２点がタッチダウンされているときの中間の点を本発明では「ピンチ中心点」と呼ぶことにする。
【００３０】
タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３１】
図３はデジタルカメラの起動から終了までの基本的な流れを示したフロー図である。カメラ起動後はＳ３０１へ進む。Ｓ３０１ではモード切り替えスイッチ６０の位置により撮影モードかどうかの判定をする。撮影モードであると判定された場合はＳ３０３へ進み、撮影モードではないと判定された場合はＳ３０２に進む。Ｓ３０２ではモード切換えスイッチ６０の位置により再生モードであるかの判定を行う。再生モードであると判定された場合は再生モード処理へと進む。再生モード処理に関しては後述するためここでの説明は省略する。
【００３２】
そして、再生モードが終了するとＳ３０５へ進む。また、Ｓ３０２において再生モードではないと判定された場合はＳ３０４に進む。Ｓ３０３では撮影モードの処理を行う。ここでいう撮影モードの処理とは、静止画撮影や、動画撮影などが含まれる。Ｓ３０４ではその他の処理を行う。ここでいうその他の処理とは、現在時刻を表示するだけの時計表示モードでの処理などがあげられる。それぞれのモード処理が終了するとＳ３０５へ進み、カメラ動作をシャットダウンさせるか否かの判定を行う。シャットダウンさせると判定された場合はカメラ動作を終了し、シャットダウンしない場合はＳ３０１へ進む。
【００３３】
再生モード処理では、主に撮影モードで撮影した静止画や動画を閲覧したり、消去や、動画編集、ワイヤレスでの画像送信などを行う。本発明は一連の画像データの閲覧、つまり動画の再生処理について焦点を当てている。それらを後述の［実施例１］または［実施例２］で詳細を説明する。
【００３４】
［実施例１］
図４は本発明の実施例１として最適な形態である再生モードでの処理を示したフローチャートである。
【００３５】
まず、ユーザが動画再生させるときに頻繁に操作するパターンについて図５を用いて説明する。図５（ａ）に示すように、通常、動画再生をする際は、閲覧対象の動画を全画面表示状態にしておく必要がある（５０１の状態参照）。その状態でカメラのＧＵＩ上に表示されている動画ボタンをタッチダウン、またはＳＥＴボタンなどを押下することによって動画再生が開始される（５０２の状態参照）。再生中に再度画面をタッチダウンする、またはＳＥＴボタンを押下することによって動画が一時停止される。
【００３６】
この一時停止状態では再開させるためのボタン、スロー再生をするためのボタン、フレーム送り、早送りをするボタンを表示するなど、いわゆる動画再生メニューが表示される（５０３の状態参照）。ここで、再生の再開ボタンを押下すると、動画再生が再開される。動画の最後まで再生されると、全画面表示の状態に戻ってくる（５０１の状態）。このようなユーザ操作による動画再生のパターンを本実施例では動画再生の第二パターンと呼ぶことにする。
【００３７】
一方で、再生モードにおいては画像の消去や個々の画像を選択して新規動画作成可能な機能を実行するための動画編集の際に、消去や編集対象の画像を選択し、その後消去または編集を実行する直前に動画を再確認する場合が考えられる。そのようなユースケースを図５（ｂ）で示す。まずそのような場合、はじめは全画面表示の状態であり（５０１の状態参照）、そこからＭＥＮＵボタンを押下して消去メニューを選択する（５０４の状態）。
【００３８】
本実施例では、画像を一枚一枚指定して消去する場合について説明する。このとき消去メニューから「画像指定」を選択すると再度全画面表示の状態に遷移する（５０５の状態）。その後ＳＥＴボタンを押下することによって消去する対象画像を指定（チェックマークを付ける）していくのだが、このチェックマークを付ける操作の直前で、この動画の内容を把握したくなる場合がある。そのようなユースケースを救うために、５０５の状態であっても全画面表示上に動画再生させるためのＧＵＩボタンを表示する。
【００３９】
ここで、ＧＵＩボタンをタッチダウンすると、動画再生状態となる（５０６の状態参照）。動画再生を停止させる場合は、前述の第二パターンとは異なり動画再生メニューは表示せずに、５０５の状態へ遷移する。動画の内容を把握し終わったら、消去実行画面に進み（５０７の状態）、ＯＫボタンを押下することで消去が実行される。ここで５０５と５０６の状態を行き来するように動画再生する方法を本実施例では動画再生の第一パターンと呼ぶことにする。
【００４０】
以上述べた２つの動画再生パターンの説明を踏まえて、次に図４の再生モードでのフローチャートについて説明する。
【００４１】
Ｓ４０１ではシングル表示、つまり全画面表示の状態であるかの判定を行う。全画面表示の状態であると判定された場合はＳ４０２へ進み、全画面表示の状態ではないと判定された場合はＳ４０５へ進む。Ｓ４０２では現在全画面で表示されている画像が動画であるかどうかの判定を行う。動画であると判定された場合はＳ４０３へ進み、動画ではないと判定された場合はＳ４０５へ進む。Ｓ４０３では動画再生をするためのボタン、つまり動画再生開始のＧＵＩボタンが押下されたかどうかの判定を行う。動画再生ボタンが押下されたと判定された場合はＳ４０４へ進み、押下されていないと判定された場合はＳ４０５へ進む。
【００４２】
ここでいう動画再生開始のＧＵＩボタンとは、前述の５０１や５０５の状態で表示されているタッチ用のＧＵＩボタンのことを指す。Ｓ４０４では、消去や編集などの機能の実行を伴う際の動画再生かどうかの判定を行う。ここでの判定はいわゆる前述したように５０１の状態（編集機能を伴わない）か５０５の状態（編集機能を伴う）のどちらかで動画再生させるのかの判定を意味している。編集機能の実行を伴う場合であれば動画再生第一パターンの処理へ進み、編集機能の実行を伴わない場合であれば動画再生第二パターンの処理へ進む。
【００４３】
動画再生第一および第二パターンの処理フローについては後述する。それぞれの処理が終了すると、Ｓ４０５へ進む。Ｓ４０５では再生モードを終了するかどうかの判定をする。終了すると判定された場合は再生モードを終了し、終了しないと判定された場合はＳ４０１へ戻る。
【００４４】
次に図６（ａ）で動画再生第一パターンの処理について説明する。まずＳ６０１にて動画再生処理を開始する。ここでの動画再生は記録時間と再生時間が同じになるような通常の再生速度で再生される。前述した５０６の状態である。そしてＳ６０２へ進む。Ｓ６０２ではＳＥＴボタンが押下されたかどうか、つまり動画の停止処理が呼ばれたかどうかの判定を行う。ＳＥＴボタンが押下された場合はＳ６０３へ進み、押下されない場合はＳ６０４へ進む。Ｓ６０３では動画再生の停止処理をする。つまり前述した５０５の状態である。そしてＳ６０４へ進む。Ｓ６０４では動画再生第一パターンでの処理を終了するかどうかの判定を行う。終了する場合は動画再生モードを終了し、終了しない場合はＳ６０１へ戻る。
【００４５】
次に図６（ｂ）で動画再生第二パターンの処理について説明する。まずＳ６１０にて動画再生処理を開始する。ここでの動画再生も記録時間と再生時間が同じになるような通常の再生速度で再生される。ここでいう動画再生とは前述した５０２の状態である。そしてＳ６１１へ進む。次にＳ６１１にてＳＥＴボタンが押下されたかどうか、つまり動画の停止処理が呼ばれたかどうかの判定を行う。ＳＥＴボタンが押下された場合はＳ６１２へ進み、押下されない場合はＳ６１８へ進む。Ｓ６１２では動画再生の停止をする。そしてＳ６１３へ進む。Ｓ６１３では動画再生メニューを表示する。
【００４６】
前述した５０３の状態である。そしてＳ６１４へ進む。Ｓ６１４では、Ｓ６１３において表示された動画再生メニュー内の再生再開ボタンが押下されたかどうかの判定を行う。押下された場合はＳ６１５へ進み、押下されない場合はＳ６１６へ進む。Ｓ６１５では動画再生再開処理を行う。そしてＳ６１１の状態に戻る。Ｓ６１６では、Ｓ６１３において表示された動画再生メニュー内のスロー再生のボタンが押下されたかどうかの判定を行う。押下された場合はＳ６１７へ進み、押下されない場合はＳ６２０へ進む。
【００４７】
Ｓ６１７では、スロー再生処理を行う。この動画再生第二パターンのときは動画を閲覧する際にはさまざまな再生方法を行いたいといったユースケースがあるため、スロー再生以外にも、フレーム送りや早送りのボタン等を表示し、実行できるようになっている。スロー再生開始後はＳ６１１へ戻る。
【００４８】
また、Ｓ６１８では、左右ボタンが押下されたかどうかの判定を行う。つまり動画再生中に左右ボタンが押されたかどうかを意味している。左右ボタンが押下された場合はＳ６１９へ進み、押下されていない場合はＳ６２０へ遷移する。Ｓ６１９では、動画再生中に任意の前または後のフレーム分ジャンプする。動画再生はその後継続される。つまり、動画再生第二パターンの時は、第一パターンのような動画再生と停止を繰り返すのではなく、さまざまな動画再生方法を提供することになり、閲覧目的で再生させる場合には有用な再生方法である。Ｓ６２０は動画再生第二パターンでの処理を終了するかどうかの判定を行う。終了する場合は動画再生モードを終了し、終了しない場合はＳ６１１へ戻る。
【００４９】
以上、図４、図６（ａ）、図６（ｂ）の処理の説明で述べたように、画像編集等を目的に動画を選ぶ時の操作では、動画を一時停止する操作を行った場合に動画メニューを表示せずに動画再生を終了させるといったような簡易的な画面遷移処理にし、画像編集等を目的としない通常の動画再生では一時停止時に動画再生メニューを表示する。このようにすることで、画像選択の際に動画内容の把握をしてからチェックを付けるまでの手番が総合的に少なくて済む、といった効果がある。
【００５０】
また、例えば図７のＳ７０１で通常の動画再生ではなく、倍速再生または通常の動画再生よりも再生速度を早くする方法も考えられる。Ｓ７０２からＳ７０４の処理は前述したＳ６０２からＳ６０４の処理と同様であるため説明を省略する。このように、動画再生第一パターンでの動画再生は通常の動画再生のスピードよりも早いスピードで再生させることによって、図６（ａ）に示す動画再生第一パターンの処理よりも動画の内容を素早く確認できることになり、総合的に動画の内容を把握してから編集機能を実行する際の手番が少なくなる、といった効果がある。
【００５１】
［実施例２］
図８は本実施例２として再生モードでの処理を示したフローチャートである。Ｓ８０１からＳ８０４およびＳ８０６の処理は、前述したＳ４０１からＳ４０５までの処理と同様であるため説明を省略する。
【００５２】
Ｓ８０５では、ディスプレイに表示されている動画が所定時間よりも長いかどうかを判定する。ここでいう所定時間の判定は、表示されている動画のＥＸＩＦ情報から撮影時間を取得して判定する。所定時間よりも長い場合は動画再生第二パターンへ進み、所定時間よりも短い場合は動画再生第一パターンへ進む。つまり、動画時間が比較的長めの場合は、一つの動画の中でも見どころのあるシーンが分散している可能性があるため動画の内容を把握するの時間かかるため、動画再生メニューを表示し、フレーム送りなどが行えた方がよいからである。
【００５３】
逆に、動画時間が比較的短い場合は、見どころのあるシーンが少ない可能性が高いため、動画の前半部分を閲覧できれば全体を把握する必要がなくなる。このように、動画再生時間の長さに応じて処理を変えることによって、比較的動画時間が短い動画では、動画を確認するまでの手番が少なくなるといった効果がある。
【００５４】
以上述べてきたように、本実施例は、画像編集等を目的に動画を選ぶ時の操作では、動画を一時停止する操作を行った場合に動画メニューを表示せずに動画再生を終了させるような簡易的な画面遷移処理にし、画像編集等を目的としない通常の動画再生では一時停止時に動画再生メニューを表示する。このようにすることで、画像選択の際に動画内容の把握をしてからチェックを付けるまでの手番が少なくなるといった効果がある。
【００５５】
また、本実施例によれば、動画編集を伴う動画選択時において動画再生をさせた場合は、通常動画再生させるスピードよりも早いスピードで再生させることで、動画の内容を素早く把握できるといった効果がある。また、ＥＸＩＦ情報から動画再生時間を取得し、その再生時間がある所定の時間よりも短かった場合は、動画再生メニューを表示しないで、動画再生を終了させることで、動画の内容を素早く把握できるといった効果がある。
【００５６】
以上、本発明をその好適な実施形態に基づいて詳述してきたが、本発明はこれら特定の実施形態に限られるものではなく、この発明の要旨を逸脱しない範囲の様々な形態も本発明に含まれる。
【００５７】
上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００５８】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００５９】
プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００６０】
１００  デジタルカメラ、２８  表示部、６０  モードダイアル、
６１  シャッターボタン、１１２  コネクタ
【図１】
2016092800.tif 000003
【図２】
2016092800.tif 000004
【図３】
2016092800.tif 000005
【図４】
2016092800.tif 000006
【図５（ａ）】
2016092800.tif 000007
【図５（ｂ）】
2016092800.tif 000008
【図６（ａ）】
2016092800.tif 000009
【図６（ｂ）】
2016092800.tif 000010
【図７】
2016092800.tif 000011
【図８】
2016092800.tif 000012